【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
可撓性容器であって、
第１のシートにより規定され、共働して前記可撓性容器の内部空間を画定する複数のパネルにして、第１パネルと第２パネルと第３パネルとを備え、第１パネルが第２パネルと第３パネルとの間に配置され、第２及び第３パネルが第１パネルに対し横方向に配置される複数のパネルと、
前記第１パネルと第２パネルとの交差により規定される第１境界線と、
前記第１パネルと第３パネルとの交差により規定される第２境界線と、
前記第１のシートの第１〜第３パネルの少なくとも一つに規定される開口と、
（ｉ）前記開口が規定される第１〜第３パネルの少なくとも一つと、（ｉｉ）前記開口が規定される第１〜第３パネルの少なくとも一つに隣接するパネルとにおいて、前記第１のシートに取り付けられる第２のシートと、
前記第２のシートの一部によって規定される再封可能フラップにして、前記再封可能フラップが第１のシートの開口上に重なる第１位置と、前記開口が露出するように前記再封可能フラップが第１のシートの開口から離れて配置される第２位置との間を枢動可能な再封可能フラップとを備え、
前記第２のシートは、第１のシートの全部より小さい部分に取り付けられ、前記第２のシートは、再封可能フラップの幅よりも広い幅を有する可撓性容器。
【請求項２】
可撓性容器であって、
第１のシートにより規定され、共働して前記可撓性容器の内部空間を画定する複数のパネルを備え、該複数のパネルは、
第１パネル、第２パネル及び第３パネルにして、第１パネルが第２パネルと第３パネルとの間に第２及び第３パネルと隣接して配置され、第２及び第３パネルが第１パネルに対し横方向に配置される第１パネル、第２パネル及び第３パネルと、
前記第１パネルと第２パネルとの交差により規定される第１境界線と、
前記第１パネルと第３パネルとの交差により規定される第２境界線と、
前記第１パネルの両端部に隣接して配置され、かつ第２及び第３パネル間に延びる第４パネル及び第５パネルにして、前記第４パネルが先頭シールを含み、前記第５パネルが末尾シールを含む第４パネル及び第５パネルと、
前記第１パネルと第４パネルとの交差により規定される第３境界線と、
前記第１パネルと第５パネルとの交差により規定される第４境界線と、
（ｉ）前記第１パネルの少なくとも一部と、（ｉｉ）前記第２パネルの少なくとも一部でかつ前記第４及び第５パネルの一方又は両方の少なくとも一部、及び、（ｉｉｉ）前記第３パネルの少なくとも一部でかつ前記第４及び第５パネルの一方又は両方の少なくとも一部、の少なくとも一方とにおいて、前記第１のシートに取り付けられる第２のシートと、
第１境界線、第２境界線、第３境界線、及び第４境界線のうちの少なくとも一つの境界線の一つ又は複数の末端において前記第１のシートによって規定される一つ又は複数のコーナーと、
前記第２のシートにより規定される一つ又は複数のコーナーリリーフにして、各々が前記一つ又は複数のコーナーを受け入れるコーナーリリーフとを備え、
前記第２のシートは、前記先頭シール及び末尾シールにおいて第１のシートに取り付けられていない可撓性容器。
【請求項３】
可撓性容器であって、
第１パネルと第２パネルと第３パネルとを備える第１のシートにして、第１パネルが第２パネルと第３パネルとの間に第２及び第３パネルに隣接して配置され、第２及び第３パネルが第１パネルに対して横方向に配置される第１シートと、
前記第１のシートの第１〜第３パネルの少なくとも一つに規定される開口と、
前記開口が規定された第１〜第３パネルの少なくとも一つに取り付けられる第２のシートと、
前記第２のシートの一部によって規定される再封可能フラップにして、前記再封可能フラップが第１のシートの開口上に重なる第１位置と、前記開口が露出するように前記再封可能フラップが第１のシートの開口から離れて配置される第２位置との間の蝶番周りを枢動可能な再封可能フラップと、
前記蝶番に隣接する位置にて前記再封可能フラップの端部から延びる一つ又は複数の突起にして、前記封可能フラップから離隔した遠位端部を有し、かつ受動位置と能動位置との間を前記再封可能フラップと共に移動可能な一つ又は複数の突起とを備え、
前記受動位置において前記一つ又は複数の突起が前記開口が規定された前記第１〜３パネルの少なくとも一つとほぼ同じ平面を占め、
前記能動位置において前記一つ又は複数の突起が前記開口が規定された前記第１〜３パネルの少なくとも一つに対して角度が付けられ、かつ前記一つ又は複数の突起の前記遠位端部が前記開口が規定された前記第１〜３パネルの少なくとも一つと接して前記再封可能フラップを前記第２位置に維持する可撓性容器。
【請求項４】
可撓性容器であって、
第１パネル、第２パネル及び第３パネルにして、第１パネルが第２パネルと第３パネルとの間に配置され、第２及び第３パネルが第１パネルに対し横方向に配置される第１パネル、第２パネル及び第３パネルと、
前記第１パネルと第２パネルとの交差により規定される第１境界線と、
前記第１パネルと第３パネルとの交差により規定される第２境界線と、
前記第１パネルの両端部に隣接して配置され、かつ第２及び第３パネル間に延びる第４パネル及び第５パネルにして、前記第１〜第５パネルが第１シートから形成される第４パネル及び第５パネルと、
前記第１パネルと第４パネルとの交差により規定される第３境界線と、
前記第１パネルと第５パネルとの交差により規定される第４境界線と、
前記第３及び第４境界線にそれぞれ隣接して配置される第１及び第２タック折りにして、前記可撓性容器の内部に向けて内側に押し込まれる第１のシートの部分によって規定され、前記第４及び５パネルの背部にそれぞれ配置される第１及び第２タック折りと、
前記第１パネルの少なくとも一部において第１シートに取り付けられる第１部分、及び、前記第１及び第２タック折りの少なくとも一方の少なくとも一部において第１のシートに取り付けられる少なくとも一つの第２部分を備える第２シートとを備え、
前記少なくとも一つの第２部分は、第１パネルと第４及び第５パネルの少なくとも一方との間の境界に隣接して配置された第１端部と、第１端部とは反対側の第２端部とを有し、前記第１端部における前記少なくとも一つの第２部分の幅は、前記第２端部における前記少なくとも一つの第２部分の幅よりも広い可撓性容器。
【請求項５】
前記少なくとも一つの第２部分は、前記第１端部から前記第２端部へと収束する先細り形状を有する請求項４に記載の可撓性容器。
【請求項６】
前記第２部分は、前記第１タック折りの少なくとも一部に取り付けられ、前記可撓性容器は、第２のシートにおける前記第３境界線に又は前記第３境界線に隣接して配置される一つ又は複数の強度減少線を備える請求項４に記載の可撓性容器。
【請求項７】
前記第２のシートは、前記第２タック折りの少なくとも一部に取り付けられた別の第２部分を更に備え、前記可撓性容器は、第２のシートにおける前記第４境界線に又は前記第４境界線に隣接して配置される一つ又は複数の強度減少線を備える請求項４に記載の可撓性容器。
【請求項８】
前記第２のシートは、前記第１及び第２境界線の少なくとも一方に又は該一方に隣接して配置される強度減少線を含む請求項１、２又は４に記載の可撓性容器。
【請求項９】
前記第２のシートが、１０ｍｉｌ以下の厚さであり、前記強度減少線が、少なくとも１０％のカット口を有するミシン目及び前記第２のシートの厚さ内に少なくとも１０％入り込むスコア線のうち一方または双方を備える、請求項１、２又は４に記載の可撓性容器。
【請求項１０】
前記第２のシートが１０ｍｉｌを超える厚さであり、ここで、少なくとも１つの強度減少線が、少なくとも５０％のカット口を有する穿孔及び前記第２のシートの厚さ内に少なくとも５０％入り込むスコア線のうち一方または双方を備える、請求項１、２又は４に記載の可撓性容器。
【請求項１１】
前記第２のシートは、前記第１パネルの少なくとも一部と前記第２パネルの少なくとも一部と前記第３パネルの少なくとも一部とにおいて前記第１のシートに取り付けられる請求項１〜４のいずれか１項に記載の可撓性容器。
【請求項１２】
前記第２のシートは、前記第１パネルの少なくとも一部と前記第２パネルの少なくとも一部とにおいて前記第１のシートに取り付けられ、前記再封可能フラップは、第１パネルの少なくとも一部と第２パネルの少なくとも一部とを横切って延びる請求項１〜３のいずれか１項に記載の可撓性容器。
【請求項１３】
前記第２のシートは、第２パネルと第４パネルとの交差によって規定される第５境界線又は第３パネルと第４パネルとの交差によって規定される第６境界線に近接して前記第４パネルに配置される少なくとも一つの第１拡張部と、前記第３境界線に近接して前記第４パネルに配置される少なくとも一つの第２拡張部とを備える請求項４に記載の可撓性容器。
【請求項１４】
前記第２のシートは、前記第２、第３、第４及び第５パネルの少なくとも一部に取り付けられ、前記可撓性容器は、
前記第２のシートにおいて前記第１境界線に又は前記第１境界線に近接して配置される一つ又は複数の強度減少線と、
前記第２のシートにおいて前記第２境界線に又は前記第２境界線に近接して配置される一つ又は複数の強度減少線と、
前記第２のシートにおいて前記第３境界線に又は前記第３境界線に近接して配置される一つ又は複数の強度減少線と、
前記第２のシートにおいて前記第４境界線に又は前記第４境界線に近接して配置される一つ又は複数の強度減少線と、
前記第２のシートにおいて前記第５境界線に又は前記第５境界線に近接して配置される一つ又は複数の強度減少線と、
前記第２のシートにおいて、前記第２パネルと前記第５パネルとの交差により規定される第７境界線に又は第７境界線に近接して配置される一つ又は複数の強度減少線と、
前記第２のシートにおいて前記第６境界線に又は前記第６境界線に近接して配置される一つ又は複数の強度減少線と、
前記第２のシートにおいて、前記第３パネルと前記第５パネルとの交差により規定される第８境界線に又は第８境界線に近接して配置される一つ又は複数の強度減少線とを備える請求項１３に記載の可撓性容器。
【請求項１５】
前記第２のシートにおいて、前記第２パネルと第４及び第５パネルの一方又は両方との境界に又は該境界に近接して配置される強度減少線を備え、前記強度減少線が実質的に直線であり、前記境界で画定された容器の縁部が実質的に直線である、請求項１〜４のいずれか１項に記載の可撓性容器。
【請求項１６】
前記第２のシートにおいて、前記第２パネルと第４及び第５パネルの一方又は両方との境界に又は該境界に近接して配置される強度減少線を備え、前記強度減少線が曲線であり、それによって前記境界に配置される容器の縁部を画定して前記強度減少線の曲線に対応する湾曲を有する、請求項１〜４のいずれか１項に記載の可撓性容器。
【請求項１７】
前記境界から前記第４及び／又は第５パネル内に延在する前記第２のシートの一部分が、前記強度減少線と左右対称である、輪郭変形した強度減少線を備える、請求項１６に記載の可撓性容器。
【請求項１８】
前記輪郭変形した強度減少線が、前記強度減少線と実質的に同じカット口パーセンテージを有する穿孔を備え、および／または、前記輪郭変形した強度減少線が、前記強度減少線のスコア線と実質的に同じパーセンテージの貫通を有するスコア線を備える、請求項１７に記載の可撓性容器。
【請求項１９】
前記強度減少線が、前記第１の強度減少線と実質的に同じカット口パーセンテージを有し、および／または、前記強度減少線の１つ以上のスコア線の貫通が、前記強度減少線の１つ以上のスコア線の貫通と実質的に等しい、請求項１５〜１８のいずれか１項に記載の可撓性容器。
【請求項２０】
単一の突起が前記再封可能フラップの前記端部の中央部から突出する請求項３に記載の可撓性容器。
【請求項２１】
前記第２シートが、強度減少線が画定する蝶番をさらに備え、前記蝶番は前記再封可能フラップの端部に配置され、前記再封可能フラップは、前記蝶番周囲で、前記再封可能フラップが開口パネルに接触して開口部を再シール可能なように封止している閉状態から、前記再封可能フラップが前記開口パネルから離れて枢動する開状態へ枢動自在である、請求項１又は３に記載の可撓性容器。
【請求項２２】
前記第２のシートが、前記再封可能フラップの端部に配置される第１および第２の突起をさらに備え、前記第１および第２の突起は、前記第１および第２の突起が開口パネルを画定する少なくとも一つの壁と同じ平面にあって前記再封可能フラップが閉状態にある第１の状態から、前記第１および第２の突起が前記開口パネルを画定する少なくとも一つの壁に対して傾斜していて前記再封可能フラップが開状態にある第２の状態に、枢動自在である、請求項１〜２１のいずれか１項に記載の可撓性容器。
【請求項２３】
前記再封可能フラップがその周囲で前記閉状態から前記開状態に枢動する蝶番を前記第２シートがさらに備え、前記第１および第２の突起が前記蝶番の対向する両側面上に配置される、請求項２２に記載の可撓性容器。
【請求項２４】
前記第１および第２の突起が前記蝶番から等距離に配置される、請求項２２又は２３に記載の可撓性容器。
【請求項２５】
前記第１および第２の突起が半円形である、請求項２２又は２３に記載の可撓性容器。
【請求項２６】
前記再封可能フラップが、前記再封可能フラップをつかむためのつまみを備える、請求項１〜２５のいずれか１項に記載の可撓性容器。
【請求項２７】
前記つまみが隣接する壁の間の境界に隣接して配置され、かつ前記つまみに隣接する境界における、または、該境界に隣接した強度減少線から約０．０３インチ〜約０．１インチの間隔をあけて配置される、請求項２６に記載の可撓性容器。
【請求項２８】
前記つまみが、前記つまみに隣接する境界における、または、該境界に隣接した強度減少線まで、または前記つまみに隣接する境界における、または、該境界に隣接した強度減少線を超えて延在する、請求項２６に記載の可撓性容器。
【請求項２９】
第１および第２のシールのうち少なくとも１つが前記側壁に付着する、請求項１〜２８のいずれか１項に記載の可撓性容器。
【請求項３０】
前記第１および第２のシールのうち少なくとも１つが前記側壁に実質的に直交して延在し、シールの一部分にハンドルを画定するつかみ開口を備える、請求項１〜２９のいずれか１項に記載の可撓性容器。
【請求項３１】
前記第２のシートが、約２ｍｉｌ〜約３０ｍｉｌの厚さである、請求項１〜３０のいずれか１項に記載の可撓性容器。
【請求項３２】
前記複数のパネルの少なくとも１つが、前記可撓性容器が立つその可撓性容器の底パネルを画定し、前記底パネルがコーナーシールを備える、請求項１〜４のいずれか１項に記載の可撓性容器。
【請求項３３】
第３シートが前記底パネルで前記第１シートに付着する、請求項３２に記載の可撓性容器。
【請求項３４】
前記第１及び第２境界線の少なくとも一方の一つ又は複数の末端において前記第１のシートにより形成される一つ又は複数のコーナーと、前記第２のシートの開口として規定される一つ又は複数のコーナーリリーフとを備え、前記一つ又は複数のコーナーリリーフ各々は前記一つ又は複数のコーナーを受け入れる請求項１又は４に記載の可撓性容器。
【請求項３５】
前記再封可能フラップが前記第１のシートに解放可能に取り付けられるように前記第１シートと前記第２のシートの再封可能フラップとのうちの一つ又は複数に配置される接着剤を備える請求項１又は３に記載の可撓性容器。
【請求項３６】
前記開口が、前記複数のパネルの少なくとも２つの隣接する壁を横切って延在する、請求項１〜４のいずれか１項に記載の可撓性容器。
【請求項３７】
可撓性容器であって：
対向する頂壁および底壁と、
対向する側壁であって、各側壁が前記頂壁および底壁に隣接して配置されるシールおよびタックを備え、前記タックが前記第１のシートの内側に折り込まれる部分を備え、前記シールの下に配置される、前記対向する側壁と；
対向する前壁および後壁であって、ここで、前記頂壁、底壁、対向する側壁、前壁および後壁が共働して可撓性容器の内部空間を画定し、第１のシートによって画定される、前記対向する前壁および後壁と；
前記頂壁、前記前壁および前記後壁の一つ又は複数に画定される前記内部空間にアクセスするための開口部と、
前記第１のシートの少なくとも一部分に付着される第２のシートとを備え、
前記第２のシートが、
前記頂壁の少なくとも一部分を横切って延在する頂壁部分と、
前記頂壁に隣接して配置される前記対向する側壁の前記タック内に延在するタック部分であって、ここで前記頂壁部分およびタック部分は、前記第２のシートが前記頂壁と前記対向する側壁との間の界面にそれぞれ配置される対向した第１および第２の境界を横切って延在するように連結されている、前記タック部分と、
前記前壁および後壁の少なくとも一部分をそれぞれ横切って延在する第１および第２の面部分であって、ここで、前記頂壁部分ならびに前記第１および第２の面部分は、前記第２のシートが前記頂壁部分と前記第１および第２の面部分との間の界面でそれぞれ配置される対向した第３および第４の境界を横切って延在するように連結されている、前記第１および第２の面部分と、
シールの外側に、各側壁の少なくとも一部分を横切って延在する側壁部分であって、第２のシートが、隣接する側壁部分と面部分との間の各界面に配置される第５、第６、第７および第８の境界を横切って延在するように、隣接する面部分に連結されている前記側壁部分と、
第１、第２、第３、第４、第５、第６、第７および第８の境界において、または、該境界に隣接して、第２のシートに配置される、第１、第２、第３、第４、第５、第６、第７および第８の強度減少線と、
頂壁部分および面部分の一つ又は複数で画定され、前記開口部を再シール可能にカバーするよう配置される再シール可能フラップとを備える、前記可撓性容器。
【請求項３８】
前記開口部が前記頂壁に画定される、請求項３７に記載の可撓性容器。
【請求項３９】
前記再シール可能フラップがつまみを備え、前記つまみが、前記第１の強度減少線まで、または、前記第１の強度減少線を超えて延在する末端縁部を有する、請求項３７に記載の可撓性容器。
【請求項４０】
前記再シール可能フラップがつまみを備え、前記つまみの末端縁部が前記第１の強度減少線から少なくとも０．０３インチの間隔をあけて配置される、請求項３７に記載の可撓性容器。
【請求項４１】
前記開口部が正面パネルに画定される、請求項３７に記載の可撓性容器。
【請求項４２】
前記再シール可能フラップがつまみを備え、前記底壁がコーナーシールを備え、前記つまみの末端縁部が前記コーナーシールに延在する、請求項３７に記載の可撓性容器。
【請求項４３】
前記開口部が前記頂壁および前記正面パネルに画定される、請求項３７に記載の可撓性容器。
【請求項４４】
前記頂壁が４つのコーナーを備え、前記頂壁部分が、前記第２のシートが前記コーナーの周りに配置されるように前記コーナーにコーナー解放開口を備える、請求項３７〜４３のいずれか１項に記載の可撓性容器。
【請求項４５】
前記第１、第２、第５、第６、第７および第８の強度減少線が約１％〜約５０％のカット口を有する穿孔を備える、請求項３７〜４４のいずれか１項に記載の可撓性容器。
【請求項４６】
前記第３および第４の強度減少線が、約６０％〜約９９％のカット口を有する穿孔を備える、請求項３７〜４５のいずれか１項に記載の可撓性容器。
【請求項４７】
前記底壁に付着する第３のシートをさらに備える、請求項３７〜４６のいずれか１項に記載の可撓性容器。
【請求項４８】
各シールが折り畳まれ、それぞれの側壁に付着する、請求項３７〜４７のいずれか１項に記載の可撓性容器。
【請求項４９】
各シールは、前記側壁を画定する前記第１のシートの部分にヒートシールされる、請求項４８に記載の可撓性容器。
【請求項５０】
前記側壁部分が、第１および第２の側壁部分を備え、前記第１および第２側壁部分は、各側壁に配置される前記シールまで前記側壁を横切って延在し、各シールは折り畳まれ、第１または第２の側壁部分にそれぞれシールされる、請求項４８に記載の可撓性容器。
【請求項５１】
輪郭変形可撓性容器であって：
対向する頂壁および底壁と、
それぞれが前記頂壁および底壁に隣接して配置されるシールおよびタックを含む対向する側壁であって、前記タックは、前記第１のシートの内側に折り込まれる部分を備え、前記シールの下に配置される、前記対向する側壁と；
対向する前壁および後壁であって、ここで、頂壁、底壁、対向する側壁、前壁および後壁は共働して前記容器の内部空間を画定し、および、第１のシートで画定される、前記対向する前壁および後壁と；
前記頂壁、前壁および後壁の一つ又は複数に画定される内部空間にアクセスするための開口部と、
前記第１のシートの少なくとも一部分に付着する第２のシートとを備え、
前記第２のシートは：
前記頂壁の少なくとも一部分を横切って延在する頂壁部分と、
前記頂壁に隣接して配置される前記対向する側壁の前記タック内に延在するタック部分であって、ここで、頂壁部分とタック部分は、前記第２のシートが前記頂壁と前記対向する側壁との間の界面にそれぞれ配置される対向した第１および第２の境界を横切って延在するように連結されている、前記タック部分と、
前記前壁および後壁の少なくとも一部分をそれぞれ横切って延在する面部分であって、ここで、前記頂壁部分および前記面部分は、前記第２のシートが前記頂壁部分と前記面部分との間の界面にそれぞれ配置される対向した第３および第４の境界をそれぞれ横切って延在するように連結している、前記面部分と、
シールの外側に、各側壁の少なくとも一部分を横切って延在する側壁部分であって、前記第２のシートが、隣接する側壁部分と面部分との間の各界面に配置される第５、第６、第７および第８の境界を横切って延びるように、隣接する面部分に連結されている前記側壁部分と、
前記第１、第２、第３、第４、第５、第６、第７および第８の境界において又は該境界に隣接して、第２のシートに配置される第１、第２、第３、第４、第５、第６、第７および第８の強度減少線とを備え、
前記第５、第６、第７および第８の強度減少線は、前記側壁と、隣接する正面パネルおよび／または背面パネルとの間に画定される前記容器の縁部が湾曲形状を有するように湾曲形状を有し、
前記第２のシートは、
前記頂壁部分および面部分の一つ又は複数に画定され、前記開口部を再シール可能なようにカバーするよう配置される、再シール可能フラップを備える、前記輪郭変形可撓性容器。
【請求項５２】
前記第５、第６、第７および第８の強度減少線が、前記第５、第６、第７および第８の境界から離れて前記面部分へと湾曲する、請求項５１に記載の輪郭変形可撓性容器。
【請求項５３】
前記側壁部分が、前記第２のシートに、左右対称である輪郭変形した強度減少線を備える、請求項５１または５２に記載の輪郭変形可撓性容器。
【請求項５４】
前記開口部が前記頂壁に画定される、請求項５１〜５３のいずれか１項に記載の輪郭変形可撓性容器。
【請求項５５】
前記再シール可能フラップがつまみを備え、前記つまみが前記第１の強度減少線まで、または、前記第１の強度減少線を超えて延在する末端縁部を有する、請求項５１に記載の輪郭変形可撓性容器。
【請求項５６】
前記再シール可能フラップがつまみを備え、前記つまみの末端縁部が前記第１の強度減少線から少なくとも０．０３インチの間隔をあけて配置される、請求項５１に記載の輪郭変形可撓性容器。
【請求項５７】
前記開口部が前記正面パネルに画定される、請求項５１〜５６のいずれか１項に記載の輪郭変形可撓性容器。
【請求項５８】
前記再シール可能フラップがつまみを備え、前記底壁がコーナーシールを備え、前記つまみの末端縁部がコーナーシールまで延在する、請求項５７に記載の輪郭変形可撓性容器。
【請求項５９】
前記開口部が前記頂壁および前記正面パネルに画定される、請求項５１〜５８のいずれか１項に記載の輪郭変形可撓性容器。
【請求項６０】
少なくとも前記開口パネル領域で前記第１のシートに付着する第３のシートをさらに備える、請求項１〜５９のいずれか１項に記載の可撓性容器。
【請求項６１】
シール可能容器を形成する方法であり、前記方法は：
第１のシートを備えかつ前記第１のシートの一部分に第２のシートが付着するウェブを提供する工程であって、前記第１のシートがそこに画定される開口部を備える工程と；
前記ウェブを折り曲げて、共働して前記容器の内部空間を画定する複数の壁を画定する工程であって、前記内部空間が、前記開口部を通してアクセス可能である工程と；
前記ウェブの縁部をシールして第１および第２のシールを画定し、それによって第１および第２の側壁を画定する工程とを含み、
ここで、
前記複数の壁は：
対向する第１および第２の側壁であって、前記側壁の一部分およびタック部分に沿ってそれぞれ配置される第１および第２のシールをそれぞれ有し、前記タック部分は前記内部空間に向かって折り込まれる第１のシートの一部分を備え、少なくとも部分的に前記シールの下に配置される、前記対向する第１および第２の側壁と、
前記開口部の少なくとも一部分を備える開口パネルを画定する少なくとも１つの壁とを備え、
第２のシートは、前記複数の壁の少なくとも３つの上を少なくとも部分的に延在し、
ここで、
前記複数の壁の少なくとも３つはそれぞれ、前記複数の壁の少なくとも３つのうちの他の少なくとも１つに隣接しており、前記複数の壁の少なくとも３つのうちの１つは、前記開口パネルを画定する少なくとも１つの壁であり、前記第２のシートの一部分は、前記容器の再シール可能封止用のための前記開口部の上に配置される再シール可能フラップを画定し、前記複数の壁の少なくとも３つのうちの１つは側壁であり、前記第２のシートは前記複数の壁の少なくとも３つのうちの隣接する壁の間の境界上を延在し、前記第２のシートの一部分は少なくとも１つのタック内に延在し、前記第２のシートは、前記少なくとも１つのタック内に延在する前記第２のシートの一部分と、前記複数の壁の少なくとも３つの隣接する１つを横切って延在する前記第２のシートの一部分との間の境界に、または該境界に隣接して、強度減少線を含む、前記方法。
【請求項６２】
前記ウェブが形成管の周り折り曲げられ、前記形成管は、少なくとも１つの側面に外向きの延在部分、および、前記外向きの延在部分周囲で前記ウェブに折り線を付けるためのプレートを備える、請求項６１に記載の方法。
【請求項６３】
前記第１および第２のシールのうち少なくとも１つを折り畳むこと、および、前記シールを前記側壁それぞれに付着させることをさらに含む、請求項６１または６２の方法。
【請求項６４】
前記第１および第２のシールのうち少なくとも１つを折り畳むことは、前記可撓性容器に対応するサイズおよび形状を有するホルダー内に前記容器を配置すること、第１のプレートを、前記シールを含まない前記側壁の一部分に対して作動させること、および、第２のプレートを、シールを含む前記側壁の残りの部分に対して作動させることを含み、前記第２のプレートは前記シールを前記側壁に対して配置して前記シールを前記側壁に付着させる、請求項６３に記載の方法。
【請求項６５】
輪郭変形可撓性容器を形成する方法であって、前記方法は：
第１のシートを備えかつ前記第１のシートの一部分に第２のシートが付着するウェブを提供する工程と、
前記第１のシートを折り曲げて、共働して前記容器の内部空間を画定する複数の壁を画定する工程であって、前記複数の壁が、対向する頂壁および底壁、対向する前壁および後壁、ならびに対向する第１および第２の側壁を備える工程とを含み、
ここで：
前記容器は前記第１の側壁と前記前壁との間の第１の縁部と、前記第１の側壁と前記後壁との間の第２の縁部と、前記第２の側壁と前記前壁との間の第３の縁部と、前記第２の側壁と前記後壁との間の第４の縁部とを備え、
前記頂壁、前壁および底壁のうち少なくとも１つはそこに画定される開口部の少なくとも一部分を有し、
前記第２のシートは、前記前壁および後壁ならびに前記第１および第２の側壁の上を少なくとも部分的に延在し、前記第２のシートは、前記容器の前記第１、第２、第３および第４の縁部において、または、該縁部に隣接して、第１、第２、第３および第４の強度減少線をそれぞれ備え、
前記第１、第２、第３および第４の強度減少線はそれぞれ湾曲形状を有し、
第１のシートを折り曲げる際に、第１のシートは、湾曲である第１、第２、第３および第４の強度減少線から生じる、湾曲である第１、第２、第３および第４の縁部を画定する、前記方法。